(57)【要約】【課題】単純な構造で美しい花束を作成でき、かつ、花束を飾ることも可能な花束容器を提供する。【解決手段】花束容器は、筒状部１１と底部１２とを有する容器本体１の上部に中央部に開放可能な開口部３１を有するプレート３を備えている。筒状部１１は、上部ほど直径が大きくなされており、底部１２は、筒状部１１の下端部より直径の大きい円盤状となされており、花束容器の安定性をよいものとしている。【選択図】        図  １
2005253921.tif 000002
【特許請求の範囲】
【請求項１】
筒状部と底部とを有する容器本体の上部に中央部に開放可能な開口部を有するプレートを備えることを特徴とする花束容器。
【請求項２】
筒状部と底部とを有する容器本体の上部に中央部に開口部を有するプレートを備える花束容器であって、前記筒状部は側面の一部が固定部、他の部分が開閉部となされており、前記プレートは開口部の略中央で分割できるようになされていることを特徴とする花束容器。
【請求項３】
前記容器本体の筒状部と底部の内面に棒状体端部の係止機構が設けられていることを特徴とする請求項１又は２記載の花束容器。
【発明の詳細な説明】
【技術分野】
【０００１】  本発明は、花束を美しく仕上げることができ、かつ、花束を飾ることも可能な花束容器に関する。
【背景技術】
【０００２】  従来、円形花束の作成を可能にする切花の保持装置が知られている。これは、規則的に孔の設けられたディスクの孔に花の茎を挿入し、ディスクの下方で交差させ、紐で結束して容器に設置するものである。【０００３】  この切花の保持装置によれば、美しい花束を作成でき、また、その形状を保つことができる。しかし、ディスクを片手で保持しながら他方の手で花の茎をディスクの孔に挿し込み、紐でまとめるという動作は簡単ではなかった。【０００４】  また、容器底部分に安定ベース板を設けた容器の側面に支柱を設け、その支柱の上下に開閉可能なアームを設けた花束製作スタンドが提案されている。【０００５】  この花束製作スタンドによれば、花束を容器とアームによって支えながら作成し、ひもで結束し、ラッピング、運搬ができ、かつ、アームを開くことにより、まとめられた花束を簡単に容器から取り出すことができる。【０００６】  しかしながら、機構が複雑であり、また、花束を飾る容器としては適していなかった。また、花を縦に揃えるのには適しているが、横からも差し込んで花束を作成するのには適していなかった。
【特許文献１】特開平９−５６５５３号公報
【特許文献２】実登−３０４２５１７号公報
【発明の開示】
【発明が解決しようとする課題】
【０００７】  本発明は、単純な構造で美しい花束を作成でき、かつ、花束を飾ることも可能な花束容器を提供することを目的としている。
【課題を解決するための手段】
【０００８】  上記目的を達成するため請求項１記載の発明は、筒状部と底部とを有する容器本体の上部に中央部に開放可能な開口部を有するプレートを備えることを特徴とする花束容器である。【０００９】  本発明においては、容器本体は、特に限定はされないが、陶器や磁器等の無機材やステンレススチール等の金属や合成樹脂等で形成することができる。【００１０】  また、プレートの厚さはとくに限定されるものではない。開放可能な開口部とは、例えば、プレートを分割して開口部を開けることができるようにしたり、プレートを柔軟性や弾力性のある材料で形成しておき、その外周から開口部に至る切り込みをいれておき、開口部を開くことができるようして形成される。【００１１】  また、プレートは、容器本体と一体的に形成されてもよいが、容器本体から着脱自在とされていると、製作が容易であり、かつ、容器本体やプレートの洗浄が容易なので好ましい。また、プレートは金属や合成樹脂で形成されていると、製造が容易で、かつ、取扱が容易であり、好ましい。【００１２】請求項２記載の発明は、筒状部と底部とを有する容器本体の上部に中央部に開口部を有するプレートを備える花束容器であって、前記筒状部は側面の一部が固定部、他の部分が開閉部となされており、前記プレートは開口部の略中央で分割できるようになされていることを特徴とする花束容器である。【００１３】  本発明においては、筒状部の側面の開閉部は、筒状部の上端から下端までを開閉自在にしてもよいし、筒状部の中央部から上端までを開閉自在にしてもよい。開閉部は、筒状部の固定部にピンやヒンジ機構を用いて開閉自在とされてもよいし、係止機構によって開閉自在にしてもよい。また、筒状部の固定部と底部は一体的に形成されていると花束容器の安定性がよいので好ましい。さらに、分割されるプレートの一方は開閉部に、他方は固定部と一体的に形成されていると、部品点数が少なく、操作が容易なので好ましい。【００１４】  請求項３記載の発明は、前記容器本体の筒状部と底部の内面に棒状体端部の係止機構が設けられていることを特徴とする請求項１又は２記載の花束容器である。【００１５】  ここで、棒状体とは、切花の茎等を総称するために用いた言葉であり、花束の棒状の構成要素全般を示すものである。【００１６】  棒状体端部の係止機構は、容器本体の内面に溝を格子状に設けたり、凹凸を設けたり、容器本体の内面に沿う合成樹脂製や金属製の格子状体を備えたりすることにより形成できる。また、凹凸は、略円形や方形の凹部を形成してもよい。係止機構は、花束容器と一体的に形成してもよいし、別に形成して花束容器の内面に設置してもよい。【００１７】  本発明におけるプレートの開口部の形としては、円形や楕円形、多角形等が採用できる。また、開口部の周縁には、凹部や凸部を設けたり、角部を設けたりすると、差し込んだ切花等が仮固定できるので好ましい。【００１８】  さらに、プレート上面に、開口部を囲むように、紐の係止機構を設けておくと、紐を開口部を囲むように仮止めした後に、切花等を花束容器に挿し込み、容易に花束を紐で結束することができるので好ましい。
【発明の効果】
【００１９】  請求項１記載の発明の花束容器によれば、容器本体上部のプレートの開口部から花の茎を挿すことができるので、美しく花を活けることができる。また、必要に応じてプレートの上で花束を結束した後、プレートの開口部を開放することにより、花束のまま取り出すことができる。逆に、プレートの開口部を開放させることにより、結束された花束を活けることもできる。【００２０】  また、請求項２記載の発明の花束容器によれば、容器本体上部のプレートの開口部から花の茎を挿し、プレート上部で花束を紐等で結束することができ、筒状部の開閉部を開き、プレートを分割することにより、花束を傷つけることなく取り出すことができる。また、底部に水を入れる容器を置き、花の茎の下端部を差し込んでおけば、結束された花束を飾るための容器として使用することができる。【００２１】  また、請求項３記載の発明の花束容器によれば、容器本体上部のプレートの開口部から筒状部の側面に向かって挿した花の茎を係止部で仮固定することができるので、側方に開いた花束であっても容易に作成することができる。
【実施例】
【００２２】（実施例１）
以下、本発明の実施の形態を実施例にもとづき図面を参照して説明する。図１は本発明の花束容器の実施例を示すものである。【００２３】  図１において花束容器は、筒状部１１と底部１２とを有する容器本体１の上部に中央部に開放可能な開口部３１を有するプレート３を備えている。ここで、容器本体１は陶器製であり、プレート３は、合成樹脂製である。
筒状部１１は、上部ほど直径が大きくなされており、底部１２は、筒状部１１の下端部より直径の大きい円盤状となされており、花束容器の安定性をよいものとしている。【００２４】  プレート３には、筒状部１１の上部に着脱自在に載置されている。また、プレート３の開口部３１の周縁は凹凸が設けられている。さらに、開口部３１をほぼ２分するように切り込み３２が設けられており、開口部３１が開放可能となされている。【００２５】  また、筒状部１１の下端部には、ステンレススチール線を格子状に編んだ中敷４ａが設けられており、花の茎の下端部を差し込めるようになされている。
ここで、プレート３と中敷４ａとは、筒状部１１の直径が下部に行くほど小さくなされていることを利用して係止されている。中敷４ａは、容器本体１の内面を覆うように設けることにより、切花等をさらに大きな角度、つまり、水平に近い角度で保持することができる。【００２６】  以上のように花束容器が形成されているので、開口部３１から差し込まれた花の茎は任意の角度で中敷４ａに差し込まれ、開口部３１の周縁に保持される。そのため、意図した形状に切花等を保持し、花束を作成することができる。また、既に花束として結束されている場合は、プレート３の開口部３１を開放、つまり、プレート３を切り込み３２で二分して挿し込み、開口部３１を容器本体１に載置する。このようにして、結束された花束であっても、そのまま花束容器に活けることができる。【００２７】  さらに、開口部３１から差し込まれた花をプレート３の上で紐等で結束することにより、花束を容易に作成することができる。結束された花束は、プレート３の開口部３１を開放することにより、花束容器から取り出すことができる。
（実施例２）【００２８】  図２は本発明の花束容器の他の実施例を示すものである。図２において、筒状部１１と底部１２を有する容器本体１の上部に中央部に開口部３１を有するプレート３が備えられている。プレート３の開口部３１の周縁には凹部が設けられている。容器本体１とプレート３とは、いずれも鋳物製である。【００２９】  筒状部１１は、固定部１１ａと開閉部１１ｂとから形成されている。また、プレート３は、固定プレート３ａと可動プレート３ｂとから形成されており、開口部３１の中央部で分割できるようになされている。固定部１１ａと固定プレート３ａと底部１２とは一体的に形成されており、開閉部１１ｂと可動プレート３ｂとが一体的に形成されている。開閉部１１ｂは固定部１１ａとヒンジ機構１３によって、開閉自在に連結されている。【００３０】  また、底部１２と筒状部１１の内面には、棒状体の係止部４ｂが多数設けられている。係止部４ｂは、底部１２と筒状部１１の内面に凹部を設けることにより一体的に形成されている。【００３１】  以上のように形成されているので、開口部３１から差し込まれた花の茎は任意の角度も係止部４ｂに差し込まれ、係止部４ｂと開口部３１の凹部で保持されるので、意図した形状に花束を作成することができる。特に、筒状部１１の上部にまで係止部４ｂが設けられているので、ほぼ水平に近い角度であっても、切花等を保持できるので、広く開いた花束を形成することができる。また、形成された花束は、プレート３の上で、紐等で結束することができる。【００３２】  また、プレート３の下であっても、開閉部１１ｂを開けることによって、紐等で結束することができる。【００３３】  また、結束された花束は、プレート３の可動プレートと３ｂ筒状部１１の開閉部１１ｂを、ヒンジ機構１３を利用して開けることにより、結束された状態で取り出すことができる。さらに、底部１１の上に底部に水を入れる容器を置き、花の茎の下端部を差し込んでおけば、結束された花束を飾るための容器として使用することができる。【００３４】  以上、本発明の実施例を図面により説明したが、本発明の具体的構成はこの実施例に限られるものではなく、本発明の要旨を逸脱しない範囲の設計の変更等があっても本発明に含まれる。【００３５】  例えば、容器本体１やプレート３は花束容器として適した素材で形成することができる。つまり、木製や竹製等の天然素材であっても、任意の金属や合成樹脂であってもよい。さらに、ガラス等の窯業製品であってもよい。【００３６】  また、容器本体の外形も多様なものすることができ、円柱状に限らず断面が多角形の柱状であってもよいし、いわゆる対称形である必要もない。【００３７】  さらに、係止部は容器本体と別体で製造し、別体のまま使用されてもよいし、接着等の手段で一体化して使用されてもよい。
【産業上の利用可能性】
【００３８】  本発明によれば、花束が簡単に作成でき、また、花束を効果的に飾ることができるので、花を身の回りに置くことにより生活を豊かにすることが可能になる。
【図面の簡単な説明】
【００３９】
【図１】本発明の花束容器の第一実施例を示す斜視図である。
【図２】本発明の花束容器の第二実施例を示す斜視図である
【符号の説明】
【００４０】  １    容器本体
１１  筒状部
１１ａ  固定部
１１ｂ  開閉部
１２  底部
１３  開閉部
３    プレート
３１  開口部
３２  切り込み
４ａ  係止部（中敷）
４ｂ  係止部（係止機構）
【図１】
2005253921.tif 000003
【図２】
2005253921.tif 000004